(57)【要約】      （修正有）【課題】地面に向って均一に光を照射でき、製造も容易な作業用ランプの空気充填式ランプシェードを提供する。【解決手段】上、下２枚の円状軟質布片１０、２０を接続して組成するランプシェード１００であり、使用時には作業用ランプの散熱ファンを利用し、送風して膨らませ、ランプシェードはこれにより概ね円球状を呈する。上布片と下布片の周縁には間隔を開けて配列する複数の歯状欠口１１、２１をそれぞれ有し、各隣り合う歯状欠口の辺縁はそれぞれ相互に連接する。上布片には周縁が下向きに湾曲した立体弧曲面を形成し、下布片には周縁が上方へ湾曲した立体弧曲面を形成し、上布片下縁と下布片上縁とが対応して接続する。上、下布片を全透光材質にすれば全透光型となり、上布片の内側底面に反射層を設置すれば下向き反射型ランプシェードとして地面照明を強化できる。【選択図】図３
0003210148.tif 000002
【実用新案登録請求の範囲】
【請求項１】
作業用ランプの空気充填式ランプシェードであって、ランプシェード、ランプサポートフレームを有し、
前記ランプシェード頂部は、封鎖状で、底部には、開口部を備え、作業用ランプの前記ランプサポートフレーム外部を覆うことができ、
作業用ランプの発光アセンブリの作動時には、前記発光アセンブリの散熱ファンは、ランプシェードの開口部から下から上へと送風し、前記ランプシェードは膨らみ、概ね円球状を呈し、
前記ランプシェードは、相互に対応して円形を呈する２枚の軟質上布片と下布片を有し、しかも上布片と下布片周縁には、間隔を開けて配列する複数の歯状欠口をそれぞれ有し、各隣り合う歯状欠口辺縁は、それぞれ相互に連接し、これにより前記上布片には、周縁が下向きに湾曲した立体弧曲面を形成し、前記下布片には、周縁が上方へと湾曲した立体弧曲面を形成し、しかも上布片下縁と下布片上縁とは対応して接続し、
前記下布片中央には、開口部をさらに設置し、前記開口部は、円孔を有し、前記円孔側辺には、クローズ或いはオープンでき、前記ランプシェードをランプサポートフレーム外部に被せられる開閉パーツを設置し、しかも前記円孔内縁には、取り外し可能なように、ランプサポートフレーム下方を取り囲んで定位する束緊ベルトを設置することを特徴とする作業用ランプの空気充填式ランプシェード。
【請求項２】
前記上布片と下布片は共に透光材質で、全透光型ランプシェードを形成し、
或いは前記上布片の内側底面は、不透光の反射層で、前記下布片は透光材質で、これにより発光アセンブリの光線は、反射層により反射された後、下方へと照射され、下向き反射型ランプシェードを形成し、こうして地面照明を強化することを特徴とする請求項１に記載の作業用ランプの空気充填式ランプシェード。
【請求項３】
前記上布片内側底面には、下向きに延伸し、前記ランプサポートフレームに掛かる複数の定位ベルトをさらに設置することを特徴とする請求項１に記載の作業用ランプの空気充填式ランプシェード。
【請求項４】
前記定位ベルト一端は、前記上布片内側に固定され、反対端は、折り返して、前記ランプサポートフレーム上に掛かり固定でき、しかも前記各定位ベルトの折り返しできる一端には、前記定位ベルトを折り返し後に固定できる嵌接パーツ或いは面ファスナーパーツを設置することを特徴とする請求項３に記載の作業用ランプの空気充填式ランプシェード。
【請求項５】
前記上布片或いは下布片外側には、前記ランプシェードの空気を抜いた後、収束する収束ベルトを設置することを特徴とする請求項１に記載の作業用ランプの空気充填式ランプシェード。
【請求項６】
前記下布片下方には、少なくとも１個の通気孔を設置し、これにより前記ランプシェード内部に進入する送風気流は、前記通気孔から排出されることを特徴とする請求項１に記載の作業用ランプの空気充填式ランプシェード。
【請求項７】
前記開閉パーツは、ジッパー或いは面ファスナーベルトであることを特徴とする請求項１に記載の作業用ランプの空気充填式ランプシェード。
【考案の詳細な説明】
【技術分野】
【０００１】
本考案は作業用ランプに応用するランプシェード構造に関し、特に作業用ランプの散熱ファンを利用し、軟質ランプシェードに送風して膨らませ、実施時には全透光型ランプシェードができ、或いは下向き反射型ランプシェードとして地面照明を強化することができる作業用ランプの空気充填式ランプシェードに関する。
【背景技術】
【０００２】
一般に工事現場或いは屋外においては、室内或いは夜間環境の光線の不足が安全に悪影響を及ぼす。そのため、作業人員は作業用ランプ、スポットライト等を利用し、十分な照明を提供し、作業のスムーズな進行を図っている。
【０００３】
本考案者はかつて、特許文献１に開示するＬＥＤ照明デバイスを開発した。図１に示す通り、照明デバイスは、スタンド、及びスタンド上に設置する発光アセンブリ１を有する。発光アセンブリ１は、スタンド上に設置されるランプサポートフレーム２、ランプサポートフレーム２上を取り囲んで設置する複数のＬＥＤ発光板３、ランプサポートフレーム２下方に設置される散熱ファン４を有する。散熱ファン４は、上方へと各ＬＥＤ発光板３背面部に送風でき、こうして強制的に冷却する。複数のＬＥＤ発光板３は、ランプサポートフレーム２上で、照射角度を調整し、さらにスタンドを対応させ、災害復旧現場、工事現場等で作業用ランプとして使用することができる。
【０００４】
従来の技術では、発光アセンブリが投射する光線が過度に集中し、夜間使用時に作業人員の視力障害を引き起こし、及び衝突して損壊する等の問題を回避する措置が講じられている。特許文献２、特許文献３、特許文献４に開示するように、発光アセンブリ外周には、空気充填式軟質ランプシェードを設置する。作業用ランプとして使用する際には、光線を均一に外へと拡散することで、衝突して損壊するなどの状況が避けられ、また作業用ランプは不使用時には便利に収納できる。      
【０００５】
上述した従来の空気充填式軟質ランプシェードは、使用において特に大きな問題はないが、その構造を詳細に研究したところ、従来の技術の光線は均一に四方八方に拡散するが、同一方向に向かい均一に照射されないことが分かった。例えば、作業人員が地面で作業を行っており、地面の作業照明を強化しなければならない時には、上方へ投射される光線は、光線の強度を分散してしまう。
【０００６】
さらに、特許文献３に開示するランプシェードは、空気充填後にドラム状を形成させるため、構造は上、中、下の三枚の布により組成されるが、ミシン縫いにより、上、中、下の三枚の布を連接する過程は容易でなく、製造工程が煩雑である。よって、この種の軟質ランプシェードの製造と使用を容易にすることが求められている。
【先行技術文献】
【特許文献】
【０００７】
【特許文献１】台湾特許第ＴＷＩ４３４００８号明細書
【特許文献２】日本特許第ＪＰ３１７７６５０号明細書
【特許文献３】日本特許第ＪＰ４３８１７０４Ｂ２号明細書
【特許文献４】中国特許第ＣＮ１０１６４６９００Ａ号明細書
【特許文献５】米国特許第ＵＳ７２６４３８２号明細書
【考案の概要】
【考案が解決しようとする課題】
【０００８】
前記先行技術のランプシェードは、空気充填後にドラム状を形成させるため、構造は上、中、下の三枚の布により組成されるが、ミシン縫いにより、上、中、下の三枚の布を連接する過程は容易でなく、製造工程が煩雑であるという欠点がある。
【課題を解決するための手段】
【０００９】
本考案は作業用ランプに応用する空気充填式ランプシェードで、軟質の上布片及び下布片により構成され、製造と組み合わせが容易であるため、生産コスト削減の長所を備え、実施時には上布片、下布片は共に透光材質で、全透光型ランプシェードを形成でき、或いは上布片の内側底面は不透光の反射層で、下布片は透光材質で、これにより発光アセンブリの光線は、反射層により反射された後、下方へと照射され、下向き反射型ランプシェードを形成し、こうして地面照明を強化する作業用ランプの空気充填式ランプシェードに関する。      
【００１０】
本考案による作業用ランプの空気充填式ランプシェードで、ランプシェード、ランプサポートフレームを有する。該ランプシェード頂部は、封鎖状で、底部には、開口部を備え、作業用ランプのランプサポートフレーム外部を覆うことができる。作業用ランプの発光アセンブリの作動時には、該発光アセンブリの散熱ファンは、該ランプシェード底部の開口部下から上へと送風し、該ランプシェード１００は膨らみ、概ね円球状を呈する。該ランプシェードは、相互に対応して円形を呈する２枚の軟質上布片と下布片を有し、しかも上布片と下布片周縁には、間隔を開けて配列する複数の歯状欠口をそれぞれ有し、該各隣り合う歯状欠口辺縁は、それぞれ相互に連接し、これにより該上布片には、周縁が下向きに湾曲した立体弧曲面を形成し、該下布片には、周縁が上方へと湾曲した立体弧曲面を形成し、しかも該上布片下縁と該下布片上縁とは対応して接続する。該下布片中央には、開口部をさらに設置し、該開口部は、円孔を有し、該円孔側辺には、クローズ或いはオープンでき、これによりランプシェードをランプサポートフレーム外部に被せる開閉パーツを設置し、しかも該円孔内縁には、取り外し可能なように、ランプサポートフレーム下方を取り囲んで定位する束緊ベルトを設置する。
【００１１】
上述の構造により、該ランプシェードは、上布片及び下布片が相互に連接し、概ね円球状を呈するため、製造が比較的容易で、しかも該下布片の開口部を通して、迅速に該ランプサポートフレーム上に固定されるため、組合せが非常に容易である。
【００１２】
以下に各パーツの実施方式を説明する。
実施時には、上布片と下布片は共に透光材質で、全透光型ランプシェードを形成し、或いは上布片の内側底面は、不透光の反射層で、下布片は透光材質で、これにより発光アセンブリの光線は、反射層により反射された後、下方へと照射され、下向き反射型ランプシェードを形成し、こうして、地面照明を強化する。
【００１３】
実施時には、該上布片内側底面には、下向きに延伸し、該ランプサポートフレームに掛かる複数の定位ベルトをさらに設置する。
【００１４】
実施時には、該定位ベルト一端は、上布片内側に固定され、反対端は、折り返して、ランプサポートフレーム上に掛かり固定でき、しかも該各定位ベルトの折り返しできる一端には、該定位ベルトを折り返し後に固定できる嵌接パーツ或いは面ファスナーパーツを設置する。該複数の定位ベルトの設置を通して、空気を充填し送風している際にも、該ランプシェードは安定し触れ動かず、光線の揺れによる照明効果への影響を回避できる。
【００１５】
実施時には、該上布片或いは下布片外側には、該ランプシェードの空気を抜いた後、収束する収束ベルトを設置する。
【００１６】
実施時には、該下布片下方には、少なくとも１個の通気孔を設置し、これにより該ランプシェード内部に進入する送風気流は、該通気孔から排出される。
【００１７】
実施時には、該開閉パーツは、ジッパー或いは面ファスナーベルトである。
【考案の効果】
【００１８】
本考案によるランプシェードは、上布片及び下布片を連接し概ね円球状を呈するため、上、中、下の三枚の布を組合せる従来の技術に比べ製造が容易で、生産コストを節減でき、しかも上布片と下布片は共に透光材質で全透光型ランプシェードを形成でき、或いは上布片の内側底面は不透光の反射層で下布片は透光材質で、これにより発光アセンブリの光線は反射層により反射された後、下方へと照射され、下向き反射型ランプシェードを形成し、こうして地面照明を強化することができる。
【図面の簡単な説明】
【００１９】
【図１】従来の作業用ランプの立体外観図である。
【図２】本考案の設置位置模式図である。
【図３】本考案の立体分解図である。
【図４】本考案の上布片の平面展開図である。
【図５】本考案の下布片の平面展開図である。
【図６】本考案による開閉パーツを開いた際の模式図である。
【図７】本考案の収束状態の模式図である。
【図８】本考案の第二実施形態の照明状態模式図である。
【考案を実施するための形態】
【００２０】
［実施例］
図２及び図３に示す通り、本考案は作業用ランプに応用する空気充填式ランプシェード構造で、ランプシェード１００、ランプサポートフレーム２００を有する。ランプシェード１００頂部は、封鎖状で、作業用ランプのランプサポートフレーム２００外部を覆うことができる。ランプサポートフレーム２００内に位置する発光アセンブリの作動時には、発光アセンブリ下方の散熱ファン２０１は、ランプシェード１００底部から、下から上へと送風し、こうしてランプシェード１００は膨らみ、概ね円球状を呈し、しかも光線は、ランプシェード１００を透過して照明を提供する。
【００２１】
図２〜図５に示す通り、ランプシェード１００は相互に対応して円形を呈する２枚の軟質上布片１０と下布片２０により組成される。しかも、上布片１０と下布片２０周縁には、間隔を開けて配列する複数の歯状欠口１１、２１をそれぞれ有する。各隣り合う歯状欠口１１、２１辺縁は、それぞれ相互に連接し、これにより上布片１０には、周縁が下向きに湾曲した立体弧曲面を形成し、下布片２０には、周縁が上方へと湾曲した立体弧曲面を形成し、しかも上布片１０下縁と下布片２０上縁とは対応して接続し、組合せ接続時は非常に便利である。
【００２２】
下布片２０中央には、開口部３０をさらに設置する。開口部３０は、下布片２０に、円孔３１を設置する。円孔３１側辺には、クローズ或いはオープンでき、これによりランプシェード１００をランプサポートフレーム２００外部に被せる開閉パーツ３２を設置する。しかも、円孔３１内縁には、取り外し可能なように、ランプサポートフレーム２００下方を取り囲んで定位する束緊ベルト３３を設置する。上布片１０下縁と下布片２０上縁とが対応して接続し、ランプシェード１００を組成すると、開口部３０は、ランプシェード１００の底端に位置する。
【００２３】
図６に示す通り、取り付け時には、下布片２０下方開口部３０の開閉パーツ３２及び束緊ベルト３３を開き、次に開口部３０より上から下へと、ランプサポートフレーム２００外部に被せる。続いて、開閉パーツ３２をクローズし、しかも束緊ベルト３３を利用して、ランプサポートフレーム２００下方に取り囲んで定位し、固定を完成する。実施時には、開閉パーツ３２は、ジッパー或いは面ファスナーベルトで、束緊ベルト３３は、好ましくは面ファスナーベルト或いはマルチバックルで、束緊固定が便利である。
【００２４】
実施時には、図２、３及び図６に示す通り、上布片１０内側底面には、下向きに延伸する複数の定位ベルト１２をさらに設置する。各定位ベルト１２の一端は、上布片１０内側に固定され、反対端は、折り返して、ランプサポートフレーム２００上に掛かり固定できる。しかも、各定位ベルト１２の折り返る一端には、嵌接パーツ或いは面ファスナーパーツを設置し、これにより定位ベルト１２は折り返し後、ランプサポートフレーム２００上に固定される。複数の定位ベルト１２の設置を通して、空気を充填し送風している際にも、ランプシェード１００は安定し触れ動かず、光線の揺れによる照明効果への影響を回避できる。
【００２５】
実施時には、図２、３、５に示す通り、下布片２０下方には、開口部３０の外周に、少なくとも１個の通気孔２２をさらに設置する。散熱ファン２０１が作動を続け送風すると、ランプシェード１００内部に送り続けられる送風気流は、通気孔２２中から排出され、ランプシェード１００が過大な風圧を受けることを回避できる。
【００２６】
図２、６、７に示す通り、実施時には、上布片１０或いは下布片２０の外側には、別に収束ベルト４０を設置できる。これにより、散熱ファン２０１が作動を提出すると、ランプシェード１００は、気流の支えがないことで縮んで下垂し、収束ベルト４０の収束により、移動時に不適当に引っ張られ、ランプシェード１００が損壊しないよう防止できる。
【００２７】
上布片１０と下布片２０はすべて透光材質を採用し、全透光型ランプシェードを形成する。或いは図８に示す通り、上布片１０は不透光の軟質布片を採用し、しかも内側底面には反射層を設置し、これにより発光アセンブリの光線は、反射層により反射された後、下方へと下布片２０に集中し、透光して照射され、下向き反射型ランプシェードを形成し、こうして地面作業の照明を強化できる。
【００２８】
前述した本考案の実施形態は本考案を限定するものではなく、よって、本考案により保護される範囲は後述される実用新案登録請求の範囲を基準とする。
【符号の説明】
【００２９】
１  発光アセンブリ
２  ランプサポートフレーム
３  ＬＥＤ発光板
４  散熱ファン
１００  ランプシェード
２００  ランプサポートフレーム
２０１  散熱ファン
１０  上布片
１１  歯状欠口
１２  定位ベルト
２０  下布片
２１  歯状欠口
２２  通気孔
３０  開口部
３１  円孔
３２  開閉パーツ
３３  束緊ベルト
４０  収束ベルト
【図１】
0003210148.tif 000003
【図２】
0003210148.tif 000004
【図３】
0003210148.tif 000005
【図４】
0003210148.tif 000006
【図５】
0003210148.tif 000007
【図６】
0003210148.tif 000008
【図７】
0003210148.tif 000009
【図８】
0003210148.tif 000010